(57)【要約】      （修正有）【課題】携帯を容易にし、企業等の宣伝広告にも活用できるゴルフコースのカード集積体を提供する。【解決手段】ゴルフ場のゴルフコースの図柄が各ホール毎に表示されたゴルフコース表示面２ａを有するゴルフコース表示カード２と、該ゴルフコース表示カード２のゴルフコース表示面２ａに表示されたゴルフコースを所有するゴルフ場名を表示したゴルフ場名表示面３ａを有するゴルフ場名表示カード３と、宣伝広告表示面４ａを有する宣伝広告用カード４との各カードのうち、２枚のカードが連設されて１枚の折曲シートユニットが構成され、複数枚の折曲シートユニットが折曲部を介してジャバラ状に折り畳み可能にして、ゴルフコースのカード集積体を構成する。【選択図】図１
0003149001.tif 000002
【実用新案登録請求の範囲】
【請求項１】
ゴルフ場のゴルフコースの図柄（５）が各ホール毎に表示されたゴルフコース表示面（２ａ）を有するゴルフコース表示カード（２）と、該ゴルフコース表示カード（２）のゴルフコース表示面（２ａ）に表示されたゴルフコースを所有するゴルフ場名を表示したゴルフ場名表示面（３ａ）を有するゴルフ場名表示カード（３）と、宣伝広告表示面（４ａ）を有する宣伝広告用カード（４）とが連設されて構成されていることを特徴とするゴルフコースのカード集積体。
【請求項２】
ゴルフコース表示カード（２）、ゴルフ場名表示カード（３）、宣伝広告用カード（４）の各カードのうち、２枚のカードが連設されて１枚の折曲シートユニットが構成され、複数枚の折曲シートユニットが折曲部を介してジャバラ状に折り畳み可能に構成されている請求項１記載のゴルフコースのカード集積体。
【請求項３】
ジャバラ状に折り畳まれた状態の折曲シートユニットを捲り上げて展開した状態において、展開された２枚の折曲シートユニットのそれぞれに２枚ずつ具備されている計４枚のカードの４面の表示面が現出されるように構成されている請求項２記載のゴルフコースのカード集積体。
【請求項４】
展開された２枚の折曲シートユニットの４面の表示面のうち、最上部の表示面が宣伝広告表示面（４ａ）となり、他の３面の表示面がゴルフコース表示面（２ａ）となるように構成されている請求項３記載のゴルフコースのカード集積体。
【請求項５】
展開された２枚の折曲シートユニットの４面の表示面のうち、２面の表示面が宣伝広告表示面（４ａ）となるように構成されている請求項３記載のゴルフコースのカード集積体。
【請求項６】
複数の折曲シートユニットを捲り上げることによって、順次現出されるゴルフコース表示面（２ａ）が、ホールナンバー１〜１８の順に現出されるように構成されている請求項２乃至５のいずれかに記載のゴルフコースのカード集積体。
【請求項７】
ゴルフコース表示カード（２）に、各ホールに関する留意事項を表示する留意事項表示部（９）が設けられている請求項１乃至６のいずれかに記載のゴルフコースのカード集積体。
【請求項８】
ゴルフ練習場表示カード（１０）がさらに具備されている請求項１乃至５のいずれかに記載のゴルフコースのカード集積体。
【請求項９】
宣伝広告表示面（４ａ）に、宣伝広告費用を支払う協賛企業の社名、商品名等の協賛企業表示情報が表示されている請求項１乃至８のいずれかに記載のゴルフコースのカード集積体。
【考案の詳細な説明】
【技術分野】
【０００１】
本考案はゴルフコースのカード集積体、さらに詳しくは、ゴルフコースの各ホールの図柄を、ホール毎に表示した複数枚のカードを連設して構成したゴルフコースのカード集積体に関するものである。
【背景技術】
【０００２】
周知のように、我国には非常に多くのゴルフ場があり、プロゴルファーの競技の場となる有名なゴルフ場から、専ら一般のゴルファーのみに利用される地方のゴルフ場等、規模、特徴、利用価格等も多様である。
【０００３】
しかし、ゴルフ場は、もともと山林等の場所を開発、造成し、広大な土地を利用して作られたものであるので、開発、造成される場所の地形の相違に基づいて、それぞれのゴルフ場のコースの地形も当然異なったものとなっている。
【０００４】
このため、それぞれのゴルフ場毎に、及び当該ゴルフ場の各ホール毎に、各ホールの特質がすべて異なったものとなり、これらのホールの特質を把握することがゴルファーに要求されることとなる。このような要求は、プロゴルファーには必須であることはもちろん、一般のゴルファーにとっても技術向上のためには必要となる。
【０００５】
ところが、一般のゴルファーにとっては、ゴルフ場毎に異なり、且つそのゴルフ場のホール毎にも異なる特質を把握することは容易ではなく、このようなゴルフ場のホールの特質の把握を容易にするようなものがあれば、一般のゴルファーに興趣をもたらすことが予想される。
【０００６】
一方、ゴルフ場は、本来はスポーツの競技場であるが、一般社会の社交の場としても利用される傾向があり、特に我国ではこの傾向が強く、これは他のスポーツにはないゴルフ特有のものである。このため、ゴルフ場においては、そのゴルフ場自体の宣伝広告媒体やゴルフに直接関係のある宣伝広告媒体が利用者の注意を喚起することはもちろんであるが、場合によってはゴルフとは直接関係のない宣伝広告媒体が利用者の注意を喚起し、このことが、そのような宣伝広告媒体の顧客吸引力を非常に強くすることも考えられる。
【０００７】
このため、たとえばレストランやみやげ物店での販売品や設置物に宣伝広告媒体が使用され、或いはカート、その他、ゴルフ場内で利用される種々のものに宣伝広告媒体が使用され、そのような宣伝広告媒体に当該ゴルフ場名や企業名等が表示されている。このような宣伝広告媒体は、そのゴルフ場の営業上の利益にとっても、或いはそのゴルフ場で宣伝広告媒体を利用している企業の宣伝広告効果の面でも、決して軽視することのできないものである。
【０００８】
しかしながら、このようにゴルフ場内で利用されている宣伝広告媒体は、もともとゴルフ場内で設置され、或いはゴルフ場内で専ら使用されるものが多く、そのために、プレーを行っている際やレストラン等のゴルフ場内の施設を利用している場合は、宣伝広告媒体が利用者の注意を喚起するが、一旦、ゴルフ場での清算を終えてゴルフ場の外に出ると、その宣伝広告媒体の利用者への注意喚起力は低減し、帰宅してある程度の期間が経過すると、宣伝広告媒体の宣伝広告の内容が利用者の記憶に残らない場合もありうる。これでは、宣伝広告媒体の宣伝広告効果が十分に発揮されているとはいえず、ゴルフ場、及びそのゴルフ場で宣伝広告媒体を利用する企業、並びに一般利用者も含めた３者間において営業利益の増大が見込まれるには至っていないのが現状である。
【考案の開示】
【考案が解決しようとする課題】
【０００９】
本考案は、このような点に鑑み、一般利用者にはゴルフ場のコースの各ホール毎の特質を把握させるのを容易にさせ、それによって一般利用者の興趣を増大させ、またゴルフ場の外部における携帯をも容易にして、持ち帰りも可能とし、それによって一般利用者にはゴルフ場外においてもコースの特質を容易に把握させるだけでなく、ゴルフ場や企業等の宣伝広告効果を、ゴルフ場外においても一般利用者の記憶に残存させることができ、ひいてはゴルフ場、宣伝広告媒体を利用する企業等の営業利益のみならず、一般利用者も含めた３者間における営業利益をも増大させることのできるゴルフコースのカード集積体を提供することを課題とするものである。
【課題を解決するための手段】
【００１０】
本考案は、このような課題を解決するために、ゴルフ場のゴルフコースの図柄５が各ホール毎に表示されたゴルフコース表示面２ａを有するゴルフコース表示カード２と、該ゴルフコース表示カード２のゴルフコース表示面２ａに表示されたゴルフコースを所有するゴルフ場名を表示したゴルフ場名表示面３ａを有するゴルフ場名表示カード３と、宣伝広告表示面４ａを有する宣伝広告用カード４とが連設されて構成されていることを特徴とするゴルフコースのカード集積体を提供するものである。
【００１１】
ゴルフコース表示カード２、ゴルフ場名表示カード３、宣伝広告用カード４の各カードのうち、２枚のカードが連設されて１枚の折曲シートユニットを構成し、複数枚の折曲シートユニットが折曲部を介してジャバラ状に折り畳み可能となるように構成することも可能である。
【００１２】
また、この場合に、ジャバラ状に折り畳まれた状態の折曲シートユニットを捲り上げて展開した状態において、展開された２枚の折曲シートユニットのそれぞれに２枚ずつ具備されている計４枚のカードの４面の表示面が現出されるように構成することも可能である。さらに、その場合において、展開された２枚の折曲シートユニットの
４面の表示面のうち、最上部の表示面が宣伝広告表示面４ａとなり、他の３面の表示面がゴルフコース表示面２ａとなるように構成することも可能である。さらに、展開された２枚の折曲シートユニットの４面の表示面のうち、２面の表示面が宣伝広告表示面４ａとなるように構成することも可能である。
【００１３】
さらに、複数枚の折曲シートユニットを捲り上げることによって、順次現出されるゴルフコース表示面２ａが、ホールナンバー１〜１８の順に現出されるように構成することも可能である。
【００１４】
さらに、ゴルフコース表示カード２には、各ホールに関する留意事項を表示する留意事項表示部を設けることも可能である。また、ゴルフ練習場表示カード１０をさらに具備させることも可能である。さらに、宣伝広告表示面４ａに、宣伝広告費用を支払う協賛企業の社名、商品名等の協賛企業表示情報を表示することも可能である。
【考案の効果】
【００１５】
本考案は、上述のように、ゴルフ場のゴルフコースの図柄が各ホール毎に表示されたゴルフコース表示面を有するゴルフコース表示カードと、該ゴルフコース表示カードのゴルフコース表示面に表示されたゴルフコースを所有するゴルフ場名を表示したゴルフ場名表示面を有するゴルフ場名表示カードと、宣伝広告表示面を有する宣伝広告用カードとを連設して構成したものであるため、このようなゴルフコースのカード集積体をゴルフ場で利用者に配布することで、利用者はそのゴルフコースのカード集積体を利用しつつゴルフ場でプレーを楽しむことができるだけでなく、そのカード集積体を持ち帰ることで、自宅等のゴルフ場外においても、そのゴルフ場のコースの研究やプレーの反省等をすることができる。
【００１６】
この結果、そのゴルフ場を再度利用したいという願望を利用者に与える効果が向上し、ひいては、ゴルフ場の営業利益を向上させることができる。
【００１７】
また、ゴルフ場のコースの研究やプレーの反省等にとどまらず、カード集積体に具備された宣伝広告用カードに表示された企業名等や、ゴルフ場名表示カードに表示されたゴルフ場名が、利用者の記憶に残り、ゴルフ場に設置された或いはゴルフ場内でのみ利用される宣伝広告媒体のみで宣伝広告を行う場合に比べて、宣伝広告効果が著しく向上することとなる。
【００１８】
さらに、宣伝広告用カードに企業名等が表示された企業にとっては、たとえばゴルフ場の利用者の年齢層に応じた企業広告を掲載することにより、顧客の開拓や販路の拡張等を図ることも可能となる。
【００１９】
また、宣伝広告用カードは、たとえば一般のチラシやパンフレットのように、それのみが一般利用者に利用されるのではなく、ゴルフコース表示カードに連設されて
カード集積体の一部として利用されるので、配布後に一般利用者に廃棄される可能性も少なく、時間の経過によっても宣伝広告効果を喪失しにくいという利点がある。
【００２０】
さらに、ゴルフ場名表示カードに表示されたゴルフ場にとっては、そのゴルフ場自身で保管して配布することで、自身の営業利益や宣伝広告効果を増大させるだけでなく、このように携帯が容易なカード集積体の一部に具備されていることによって、たとえばゴルフ練習場やゴルフショップ等のゴルフ場の外部で保管、配布することもでき、必然的にそのゴルフカード集積体を入手する利用者が増加するので、ひいてはゴルフ場の来場者数の増加を見込めることにもなる。
【００２１】
さらに、ゴルフコース表示カードとともにカード集積体に具備された宣伝広告用カードやゴルフ場名表示カードに表示された企業やゴルフ場にとっては、企業イメージのアップやゴルフ場のイメージアップにもつながることとなる。
【００２２】
さらに、ゴルフコース表示カード、ゴルフ場名表示カード、及び宣伝広告用カードの３種類の異なる機能を有するカードがカード集積体に具備されているので、宣伝広告媒体として、特殊な流通過程で宣伝広告効果を発揮させるようなことも可能となる。すなわち、このようなカード集積体の保有者は、たとえばゴルフ雑誌の宣伝広告欄に協賛企業を募るような発行者と同様に、宣伝広告用カードの宣伝広告表示欄に協賛企業を募り、その宣伝広告費を収入源とする宣伝広告媒体として本発明のカード集積体を利用するようなこともできる。
【００２３】
その場合、このカード集積体は、宣伝広告媒体として、たとえばゴルフ場、ゴルフ練習場、ゴルフショップ等に設置することが可能であるが、カード集積体の保有者、発行者が、そのカード集積体を上記のようなゴルフ場、ゴルフ練習場、ゴルフショップ等に販売しようとする場合、ゴルフ場、ゴルフ練習場、ゴルフショップの経営者等は、カード集積体の購入価格よりも大きい営業利益が得られないと、当然のことながらカード集積体の購入を躊躇することになる。
【００２４】
しかしながら、カード集積体の保有者、発行者が、本発明のカード集積体を無料でゴルフ場、ゴルフ練習場、ゴルフショップに提供し、そのゴルフ場、ゴルフ練習場、ゴルフショップ等に設置するのであれば、ゴルフ場、ゴルフ練習場、ゴルフショップ等にとって購入に見合う営業上の不利益を懸念する必要がないばかりか、カード集積体が使用者の興趣をそそることで、ゴルフ場、ゴルフ練習場、ゴルフショップ等にとっても集客の増加が見込める等の利益があるので、カード集積体の保有者、発行者からの提供を受ける可能性も高くなる。
【００２５】
特に、ゴルフ場にとっては、本発明のカード集積体にゴルフ場名表示カードが具備されているので、無料でカード集積体の提供を受けることで、集客の増加が見込める利益を得るだけでなく、ゴルフ場自身の宣伝広告効果も無料で受けることができるので、カード集積体の保有者、発行者にとっても、ゴルフ場を得意先としての営業活動を行い易くなるという利点がある。
【００２６】
また、カード集積体にゴルフ練習場表示カードを具備させた場合には、同様にゴルフ練習場にとっても集客の増加や宣伝広告効果の利益を無料で受けることができることとなるので、カード集積体の保有者、発行者にとって、ゴルフ場練習場を得意先としての営業活動を行い易くなる。
【００２７】
カード集積体の保有者、発行者にとっては、カード集積体を無料でゴルフ場、ゴルフ練習場、ゴルフショップに提供すると、宣伝広告用カードの宣伝広告表示欄に社名や商品名等が表示される協賛企業からの宣伝広告費のみが、専らの収入源となる。
【００２８】
しかし、協賛企業にとっても、たとえばゴルフ雑誌等の他の宣伝広告媒体を用いる場合に比べて宣伝広告費が特に高価でないのであれば、本発明のカード集積体を宣伝広告媒体として利用する可能性も高くなるので、ゴルフ場、ゴルフ練習場、ゴルフショップ等に無料でカード集積体を提供したとしても、カード集積体の保有者、発行者の営業上の利益を損なうこともない。
【００２９】
このように、本発明のカード集積体は、単にゴルフコース表示カードを具備させて使用者に興趣をもたらすだけでなく、宣伝広告用カード及びゴルフ場名表示カードをも具備させて、その２種類の宣伝広告用カード、ゴルフ場名表示カードの機能を発揮させることで、従来では予測できないような流通過程での営業上の利益をもたらすことができるという効果がある。
【考案を実施するための最良の形態】
【００３０】
以下、本考案の実施形態について、図面に従って説明する。図１は一実施形態の
ゴルフカード集積体の概略正面図、図２は同概略背面図である。
【００３１】
一実施形態のゴルフコースのカード集積体１は、図１及び図２に示すように、複数枚のゴルフコース表示カード２と、該ゴルフコース表示カード２に表示されたゴルフコースを所有するゴルフ場名を表示した１枚のゴルフ場名表示カード３と、企業名等が宣伝広告される複数枚の宣伝広告用カード４と、ゴルフ練習場表示カード１０とが、ジャバラ状に折り曲げて重ね合わせることができるように、連設されて構成されている。
【００３２】
本実施形態のゴルフコースのカード集積体１には、計１２枚のカードが具備されており、それぞれのカードの表裏両面に印刷によって表示がなされている。従って、１２枚のカードの計２４面に印刷によって表示がされていることになる。本実施形態では、この計２４面の印刷表示面のうち、１８面にゴルフコース表示面２ａが設けられており、４面に宣伝広告表示面４ａが設けられており、１面にゴルフ場名表示面３ａが設けられており、１面にゴルフ練習場表示面１０ａが設けられている。
【００３３】
図１及び図２からも明らかなように、計１２枚のカードのうち、７枚のカードには表裏両面にゴルフコース表示面２ａが設けられており、３枚のカードには表裏の一面側にゴルフコース表示面２ａ、他面側に宣伝広告表示面４ａが設けられており、１枚のカードには表裏の一面側にゴルフ練習場表示面１０ａ、他面側にゴルフコース表示面２ａが設けられており、１枚のカードには表裏の一面側にゴルフ場名表示面３ａ、他面側に宣伝広告表示面４ａが設けられている。
【００３４】
本考案においては、カードの表裏両面のうち、少なくとも一面側にゴルフコースの表示がされたもの（ゴルフコース表示面２ａが設けられたもの）をゴルフコース表示カード２、少なくとも一面側にゴルフ場名が表示されたもの（ゴルフ場名表示面３ａが設けられたもの）をゴルフ場名表示カード３、少なくとも一面側に宣伝広告の表示がされたもの（宣伝広告表示面４ａが設けられたもの）を宣伝広告用カード４、少なくとも一面側にゴルフ練習場の表示がされたもの（ゴルフ練習場表示面１０ａが設けられたもの）をゴルフ練習場表示カード１０と称するが、図１及び図２の実施形態においては、表裏に異なる表示がされているカードが計５枚存在するので、便宜上、一面側にゴルフ場名表示面３ａが設けられたカードをゴルフ場名表示カード３とし、一面側に宣伝広告表示面４ａが設けられたカードを宣伝広告用カード４とし、表裏両面にゴルフコース表示面２ａが設けられたカードをゴルフコース表示カード２とし、一面側にゴルフ練習場表示面１０ａが設けられたカードをゴルフ練習場表示カード１０とする。
【００３５】
ゴルフコース表示カード２、ゴルフ場名表示カード３、宣伝広告用カード４、及びゴルフ練習場表示カード１０は、すべて同じ大きさに形成され、すべて全体が略長方形状に形成された紙製のものである。
【００３６】
７枚のゴルフコース表示カード２の表裏両面のゴルフコース表示面２ａには、ゴルフコースの各ホールの平面図様の図柄５が表示されている。またホールナンバー６、規定打数７、ティーグランドからホールまでの距離８も表示されている。さらには、各ホール毎の留意事項を表示した留意事項表示部９も表示されている。
【００３７】
本実施形態では、留意事項表示部９には、たとえば次のような事項が表示されている。
【００３８】
ホールＮＯ                  表示内容
ＮＯ．１      距離の短い右ドッグレッグ。ティーショットはフェアウェイセンタ              ーの木を狙って。
ＮＯ．２      フラットなショートホール。ガードバンカーに距離をまどわされな              いのがポイント。
ＮＯ．３      おすすめドラコンホール。
ＮＯ．４      右側はクロスバンカーとＯＢがあるので左サイド狙い。
ＮＯ．５      打ち下ろしの谷越え。グリーン手前から確実に３オン狙い。
ＮＯ．６      フェアウェイ左サイドが狙い目。
ＮＯ．７      正面に富士山，眼下に芦ノ湖の絶景。ティーショットは右サイドか              ら攻めよう。
ＮＯ．８      池越えのショートホール。オーバーするとバンカーに入り易い。
ＮＯ．９      左サイド、グリーンまでＯＢ。手前の花道狙い。
ＮＯ．１０    表示なし
ＮＯ．１１    グリーンまで打ち上げの続くミドルホール。ピンポジションは必ず              確認しておきたいホール。
ＮＯ．１２    打ち下ろしのホール。グリーン右側バンカーに注意。
ＮＯ．１３    グリーンまで打ち上げの続く距離のあるミドルホール。グリーンを              オーバーすると難しくなるので手前から攻めたい。
ＮＯ．１４    右サイドグリーン奥までＯＢ。前進４打。
ＮＯ．１５    打ち下ろしのホール。ガードバンカーを避けて右目から攻める。
ＮＯ．１６    グリーンオーバーは禁物。
ＮＯ．１７    フェアウェイは広いが右ラフ方向はトラブルになり易い。左サイド              から攻めていくのがベスト。
ＮＯ．１８    豪快な打ち下ろしのホール。中央のボールを狙ってティーショット。
【００３９】
３枚の宣伝広告用カード４の一面側には、企業等の宣伝広告の表示がなされた宣伝広告表示面４ａが設けられており、他面側には、ゴルフコース表示面２ａが設けられており、上記ゴルフコース表示カード２のゴルフコース表示面２ａと同様の表示がなされている。これら３枚の宣伝広告用カード４に表示された宣伝広告表示面４ａにおける宣伝広告の表示は、異なる企業の表示であってもよく、また同じ企業の異なる宣伝広告表示であってもよい。
【００４０】
ゴルフ場名表示カード３の一面側には、図４に示すように、ゴルフ場名１１が表示されたゴルフ場名表示面３ａが設けられている。このゴルフ場名表示面３ａには、ゴルフ場名１１の他に、適宜文字や図柄が表示される。たとえば「１８ｈｏｌｅ  攻略ガイダンス」等の文字や、ホールの近傍にピンを立設させた図柄等である。ゴルフ場名表示カード３の他面側には、上記宣伝広告用カード４に表示された宣伝広告の表示と同様の表示がなされている。
【００４１】
ゴルフ練習場表示カード１０の一面側のゴルフ練習場表示面１０ａには、図８に示すように、たとえばゴルフ練習場名や、個人レッスン、スクールの料金等が表示されている。また、図８には図示していないが、割引券としての表示を行うことも可能である。ゴルフ練習場表示カード１０の他面側には、上記ゴルフコース表示カード２の表裏両面に設けられたゴルフコース表示面２ａと同様のゴルフコース表示面２ａが設けられている。
【００４２】
本実施形態のゴルフコースのカード集積体１は、上述のようにゴルフコース表示カード２、ゴルフ場名表示カード３、宣伝広告用カード４、ゴルフ練習場表示カード１０が、ジャバラ状に折り曲げて重ね合わせることができるように構成されたものである。
【００４３】
より具体的には、図３及び図４に示すように、２枚のカード毎に折り曲げることができるように構成されている。すなわち、２枚のカードが連設されて１枚の折曲シートユニットが構成され、図３のように計６枚の折曲シートユニット１２ａ、１２ｂ、１２ｃ、１２ｄ、１２ｅ、１２ｆが、折曲部１３ａ、１３ｂ、１３ｃ、１３ｄ、１３ｅを介して折り曲げ可能に構成されている。
【００４４】
そして、図３のように６枚の折曲シートユニット１２ａ、１２ｂ、１２ｃ、１２ｄ、１２ｅ、１２ｆを折曲部１３ａ、１３ｂ、１３ｃ、１３ｄ、１３ｅを介して折り曲げた状態において、１枚目の折曲シートユニット１２ａの正面側には、図４に示すように、ゴルフ場名表示カード３のゴルフ場名表示面３ａと、ホールナンバー６がＮＯ．１のゴルフコース表示面２ａとの２面が現出されている。
【００４５】
このように６枚の折曲シートユニット１２ａ、１２ｂ、１２ｃ、１２ｄ、１２ｅ、１２ｆが折り曲げられた状態から、図５のように折曲シートユニット１２ａ、１２ｂを捲り上げると、図６のように宣伝広告用カード４の宣伝広告表示面４ａが最上部に位置し、その下側に、ホールナンバー６がＮＯ．２〜４の計３面のゴルフコース表示面２ａが現出されることとなる。
【００４６】
さらに、図７に示すように、折曲シートユニット１２ｃ、１２ｄを捲り上げると、図８のようにゴルフ練習場表示カード１０のゴルフ練習場表示面１０ａが最上部に位置し、その下側に、ホールナンバー６がＮＯ．５〜７の計３面のゴルフコース表示面２ａが現出されることとなる。
【００４７】
さらに、図９に示すように、折曲シートユニット１２ｅ、１２ｆを捲り上げると、図１０のように、ホールナンバー６がＮＯ．８、９の計２面のゴルフコース表示面２ａが現出されることとなる。
【００４８】
このようにして、ホールナンバー６がＮＯ．１〜９の計９面のゴルフコース表示面２ａをすべて現出させることができる。この状態では、折曲シートユニット１２ｆが正面側に位置しているので、正背面を反転させて折曲シートユニット１２ａを正面側に位置させる。このとき、前記図４の状態とは、上下が逆転した状態となり、図示はしないが、ホールナンバー６がＮＯ．１のゴルフコース表示カード２のゴルフコース表示面２ａが上側に位置し、ゴルフ場名表示カード３のゴルフ場名表示面３ａが下側に位置することとなる。
【００４９】
その状態で、図１１に示すように折曲シートユニット１２ａを捲り上げると、図１２のようにゴルフ場名表示カード３の宣伝広告表示面４ａが最上部に位置し、その下側に、ホールナンバー６がＮＯ．１０〜１２の計３面のゴルフコース表示面２ａが現出されることとなる。
【００５０】
次に、図１３に示すように折曲シートユニット１２ｂ、１２ｃを捲り上げると、図１４のように宣伝広告用カード４の宣伝広告表示面４ａが最上部に位置し、その下側に、ホールナンバー６がＮＯ．１３〜１５の計３面のゴルフコース表示面２ａが現出されることとなる。
【００５１】
さらに、図１５に示すように折曲シートユニット１２ｄ、１２ｅを捲り上げると、図１６のように宣伝広告用カード４の宣伝広告表示面４ａが最上部に位置し、その下側に、ホールナンバー６がＮＯ．１６〜１８の計３面のゴルフコース表示面２ａが現出されることとなる。
【００５２】
本実施形態のゴルフコースのカード集積体１は、上述のように各折曲シートユニット１２ａ、１２ｂ、１２ｃ、１２ｄ、１２ｅ、１２ｆを順に捲り上げていくことによって、ホールナンバー６がＮＯ．１〜１８の計１８面のすべてのゴルフコース表示面２ａが順に現出されることとなるので、利用者は、コースの各ホールを順に回ってプレーするのに対応させて、上述のように各折曲シートユニット１２ａ、１２ｂ、１２ｃ、１２ｄ、１２ｅ、１２ｆを順に捲り上げていくことによって、各ホールの情報をホールナンバー６がＮＯ．１〜１８の順に確認する作業を容易に行うことができる。
【００５３】
また、上記のように各折曲シートユニット１２ａ、１２ｂ、１２ｃ、１２ｄ、１２ｅ、１２ｆを順に捲り上げていく場合において、正面側に現出される４面の表示面のうち、宣伝広告表示面４ａが常に最上部に位置しているため、いずれの宣伝広告表示面４ａの宣伝広告効果も良好な状態で同様に発揮されることとなる。特に、宣伝広告表示面４ａが、上下のゴルフコース表示面２ａ間に挟まれたような状態で現出されるのではなく、４面の表示面のうちの最上部に位置して現出されるので、宣伝広告表示面４ａが非常に見易い状態となり、宣伝広告効果が損なわれることがない。
【００５４】
また、その下側の３面のゴルフコース表示面２ａも連続して見ることができるので、コースを順に回ってプレーする上でのゴルフコースのカード集積体１の取り扱いが非常に容易となる。
【００５５】
さらに、ゴルフコースのカード集積体１に具備された計１２枚のカードのうち、２枚のカードが連設されて１枚の折曲シートユニットが構成され、計６枚の折曲シートユニット１２ａ、１２ｂ、１２ｃ、１２ｄ、１２ｅ、１２ｆが、折曲部１３ａ、１３ｂ、１３ｃ、１３ｄ、１３ｅを介して折り曲げ可能に構成され、その結果、ゴルフコースのカード集積体１が２枚のカード毎に折り曲げることができるように構成されているので、たとえば１枚のカード毎に折り曲げ可能に構成されているような場合に比べると折曲部の数が半減することとなり、ゴルフコースのカード集積体１を製造する上での折曲部の形成工程が複雑化するのを防止することができる。
【００５６】
さらに、このようなゴルフコースのカード集積体は、上述のようにゴルフ場で保管され、一般利用者に配布して使用される他、たとえばゴルフ練習場やゴルフショップで保管させ、一般利用者に配布させるようにすることもできる。
【００５７】
この場合において、上記ゴルフコースのカード集積体１は、複数枚のゴルフコース表示カード２と、１枚のゴルフ場名表示カード３と、複数枚の宣伝広告用カード４と、１枚のゴルフ練習場表示カード１０が、連設されて構成されているため、ジャバラ状に折り曲げて重ね合わせることにより、折り畳んだ状態で保管、携帯等することができ、ゴルフ場以外に上記のようなゴルフ練習場やゴルフショップのような場所においても保管、配布等することが容易となる。
【００５８】
特に、このようにゴルフ場のみならず、ゴルフ練習場やゴルフショップのような場所においても保管、配布等する場合には、たとえば図１７及び図１８に示すように、
ゴルフコースのカード集積体１を折り畳んだ状態で、合成樹脂製の包装袋１４に収納することによってコンパクトな状態になるので、保管等を容易に行うことができ、また透明な合成樹脂製の包装袋１４に収納することで、利用者に対する展示効果も良好となる。
【００５９】
また、このように折り畳んだ状態で容易に携帯することができるので、一般利用者は、ゴルフ場においては、このようなゴルフコースのカード集積体を携帯して、常に持参しながら、ゴルフコースの各ホールの特質を把握しつつプレーすることができ、また、そのカード集積体を持ち帰ることで、自宅等においても、そのゴルフ場のコースの特質を研究し或いはプレーの反省等をすることができる。
【００６０】
さらに、ゴルフコースの各ホールの図柄５とは別に、ホールナンバー６、規定打数７、ティーグランドからホールまでの距離８が表示されているので、これらをも利用しながらプレーすることができ、さらには留意事項表示部９に表示された留意事項にも留意しつつプレーできるので、他のメンバーと楽しみながらプレーすることができ、またこれらの事項も、自宅にカード集積体を持ち帰った後においても利用することができる。
【００６１】
さらには、このゴルフコース表示カード２とは別に、上記のようなゴルフ場名表示カード３や宣伝広告用カード４がゴルフのカード集積体１に具備されているので、これらも併せて持ち帰ることができ、そのゴルフ場名表示カード３に表示されたゴルフ場名や宣伝広告用カード４に表示された企業名、商品名等が、持ち帰った利用者の記憶に残る可能性が高まり、ゴルフ場や企業の宣伝広告効果が高まることとなる。
【００６２】
特に、これらのゴルフ場名表示カード３や宣伝広告用カード４は、利用者自身で楽しむことができるゴルフコース表示カード２と連設された状態でカード集積体１に具備されているので、これらゴルフ場名表示カード３や宣伝広告用カード４自体も廃棄される可能性が非常に少ない。
【００６３】
このように、本実施形態では、ゴルフコース表示カード２によって、利用者側に大きな興趣をもたらすだけでなく、提供者側であるゴルフ場にも営業利益や顧客吸引力をもたらすことができ、さらには、そのゴルフコースのカード集積体の宣伝広告用カード４で宣伝広告される企業等にも営業利益や顧客吸引力をもたらすことができるので、企業、ゴルフ場、一般利用者の三者間で流通する宣伝広告或いは情報伝達の媒体として、これらの三者に非常に大きな利益をもたらすものとなる。
【００６４】
尚、上記実施形態では、ゴルフコースのホールの図柄５とは別に、各ホール毎の情報であるホールナンバー６、規定打数７、及びティーグランドからホールまでの距離８をゴルフコース表示面２ａに表示したが、このホールナンバー６、規定打数７、及びティーグランドからホールまでの距離８を表示することは本考案に必須の条件ではない。
【００６５】
また、これらの情報とともに、上記のような留意事項表示部９を設けることで、上記のような好ましい効果が得られたが、このような留意事項表示部９を設けることも本考案に必須の条件ではない。
【００６６】
さらに上記実施形態では、ゴルフコースの各ホールの図柄５として、平面図様の図柄５が表示されていたが、このような平面図様の図柄５に限らず、たとえば断面図様の図柄や、斜視図等の立体図用の図柄を表示することも可能である。
【００６７】
さらに、上記実施形態では、２枚のカード毎に折り曲げることができるように、２枚のカードが連設されて１枚の折曲シートユニットが構成され、計６枚の折曲シートユニット１２ａ、１２ｂ、１２ｃ、１２ｄ、１２ｅ、１２ｆが、折曲部１３ａ、１３ｂ、１３ｃ、１３ｄ、１３ｅを介して折り曲げ可能に構成されていたが、折曲シートユニットの枚数は上記実施形態の６枚に限定されるものではない。
【００６８】
たとえば、図１９及び図２０に示すように７枚であってもよい。折曲シートユニットが７枚具備されているので、各カードは計１４枚具備されていることになる。この実施形態のゴルフコースのカード集積体の表面側においては、図１９に示すように、最上部にゴルフ場名表示面３ａが設けられ、その下側にゴルフコース表示面２ａ、宣伝広告表示面４ａ、ゴルフコース表示面２ａ、ゴルフコース表示面２ａ、ゴルフコース表示面２ａが順に設けられており、これら上側の計６枚の表示面の配置態様は、上記図１及び図２の実施形態と同じである。
【００６９】
ただし、上記図１及び図２の実施形態では、その下側にゴルフ練習場表示面１０ａが設けられているのに対し、図１９及び図２０の実施形態では、宣伝広告表示面４ａが２面連続して設けられており、その点で相違している。この連続する２面の宣伝広告表示面４ａは、それぞれ異なる企業の宣伝広告であってもよく、また同じ企業の宣伝広告であってもよい。
【００７０】
また、上記２面の宣伝広告表示面４ａの下側には、ゴルフコース表示面２ａが２面連続して設けられており、その下側に１面の宣伝広告表示面４ａが設けられており、さらにその下側に３面のゴルフコース表示面２ａが連続して設けられている。この点で、ゴルフ練習場表示面１０ａの下側に、計５面のゴルフコース表示面２ａが連続して設けられている上記図１及び図２の実施形態と相違している。
【００７１】
一方、図１９及び図２０の実施形態のゴルフコースのカード集積体の裏面側においては、図２０に示すように最上部に宣伝広告表示面４ａが設けられ、その下側に３面のゴルフコース表示面２ａが連続して設けられ、さらにその下側に宣伝広告表示面４ａ及びゴルフコース表示面２ａが順に設けられている。これら上側の計６枚の表示面の配置態様は、上記図１及び図２の実施形態と同じである。
【００７２】
ただし、上記図１及び図２の実施形態では、その下側にもゴルフコース表示面２ａが設けられているのに対し、図１９及び図２０の実施形態では宣伝広告表示面４ａが設けられており、この点で図１及び図２の実施形態と相違している。
【００７３】
図１９及び図２０の実施形態では、その下側に、ゴルフコース表示面２ａ、宣伝広告表示面４ａ、ゴルフコース表示面２ａ、ゴルフコース表示面２ａ、ゴルフコース表示面２ａが順に設けられており、これら計５面の表示面の配置態様は、上記図１及び図２の実施形態と同じである。
【００７４】
図１９及び図２０の実施形態では、図１及び図２の実施形態に比べてゴルフコースのカード集積体に具備されているカードの枚数が２枚多く、その下側に、さらにゴルフ練習場表示面１０ａとゴルフコース表示面２ａとが設けられている。
【００７５】
図１及び図２の実施形態と図１９及び図２０の実施形態では、ゴルフコースのカード集積体の表裏の表示面の配置態様が上述のように相違しており、結果として、図１及び図２の実施形態では、表裏で計４面の宣伝広告表示面４ａが設けられているのに対し、図１９及び図２０の実施形態では、表裏で計８面の宣伝広告表示面４ａが表示されており、図１及び図２の実施形態に比べて２倍の宣伝広告表示面４ａを具備していることになる。
【００７６】
この図１９及び図２０の実施形態のように、数多くの宣伝広告表示面４ａを具備している場合には、その分、協賛企業も増やすことができるので、各企業からそれぞれ宣伝広告料を徴収する場合に、その宣伝広告料も多く徴収できることとなる。
【００７７】
上記図１９及び図２０の実施形態においても、上記図１及び図２の実施形態のように、２枚のカード毎に折り曲げることができるように、２枚のカードが連設されて１枚の折曲シートユニットが構成されており、展開した状態では、表示面が４面ずつ現出されるように構成されている。尚、図１９及び図２０では、カードに表示される図柄等の図示は省略し、カードの外形と参照符号のみ記載している。
【００７８】
さらに、上記図１乃至図１６の実施形態では、各折曲シートユニット１２ａ、１２ｂ、１２ｃ、１２ｄ、１２ｅ、１２ｆを順に捲り上げていく場合において、正面側に現出される４面の表示面のうち、宣伝広告表示面４ａが常に最上部に位置しうるように構成したため、宣伝広告表示面４ａが非常に見易い状態となり、いずれの宣伝広告表示面４ａの宣伝広告効果も良好な状態で同様に発揮されることとなるという好ましい効果が得られたが、このように、宣伝広告表示面４ａが常に最上部に位置しうるように構成することは本発明に必須の条件ではない。
【００７９】
たとえば、図２１に示すように、宣伝広告表示面４ａが最下部に位置し、その上側にゴルフコース表示面２ａが位置しうるように構成することも可能である。実際、上記図１９及び図２０の実施形態では、折曲シートユニットを順に捲り上げていく過程で図２１のように宣伝広告表示面４ａが最下部に位置することがある。
【００８０】
しかしながら、図１９及び図２０の実施形態では、宣伝広告表示面４ａを常に最上部に位置させて宣伝広告表示面４ａを見易い状態とすることにより宣伝広告効果を発揮させるよりも、むしろ宣伝広告表示面４ａの数を増やすことで、協賛企業の数を増やし、それによって徴収すべき宣伝広告料を増やすことに主眼が置かれているので、宣伝広告表示面４ａの数を増やす上で、宣伝広告表示面４ａが最下部に位置することも許容することとしたものである。
【００８１】
さらに、上記図１乃至図１６の実施形態では、各折曲シートユニット１２ａ、１２ｂ、１２ｃ、１２ｄ、１２ｅ、１２ｆを順に捲り上げていく場合において、正面側に現出される４面の表示面のうち、宣伝広告表示面４ａが１面のみ現出されうるように構成したが、これに限らず、たとえば図２２のように宣伝広告表示面４ａが２面現出されうるように構成することも可能である。
【００８２】
このように宣伝広告表示面４ａを２面現出させる場合において、上記図２２のように上側に連続して２面現出させ、その下側に連続してゴルフコース表示面２ａを２面現出させる場合の他、たとえば図２３に示すように、４面の表示面のうち、宣伝広告表示面４ａとゴルフコース表示面２ａとが１面ごとに交互に現出されるように構成することも可能である。
【００８３】
実際、上記図１９及び図２０の実施形態では、宣伝広告表示面４ａの数を増やすことに主眼が置かれているので、折曲シートユニットを順に捲り上げていく過程で、上記図２２や図２３のように宣伝広告表示面４ａ、ゴルフコース表示面２ａが現出される場合がありうる。
【００８４】
さらに、上記実施形態では、２枚のカード毎に折り曲げることができるように、２枚のカードが連設されて１枚の折曲シートユニットが構成されているため、上記のような好ましい効果が得られたが、このように２枚のカードを連設して１枚の折曲シートユニットを構成することは本考案に必須の条件ではない。
【００８５】
たとえば１枚のカード毎に折曲可能とすることも可能である。ただし、上記実施形態のように２枚のカード毎に折り曲げることができるように構成することで、折曲部の数が半減し、１枚のカード毎に折曲可能とする場合に比べてゴルフコースのカード集積体１を製造する上での折曲部の形成工程が簡易化されるので、上記実施形態のように２枚のカード毎に折曲可能とすることが望ましい。
【００８６】
一方、３枚以上のカードで１枚の折曲シートユニットを構成することも可能である。ただし、折曲シートユニットを構成するカードの枚数が増えると、その分、ゴルフコースのカード集積体１を折り畳んだ状態での寸法が長くなり、ゴルフ場、ゴルフ練習場、ゴルフショップ等で保管、展示等する場合に、カード集積体１が嵩張ることとなる。さらに３枚以上のカードで１枚の折曲シートユニットを構成する場合、折曲シートユニットを捲り上げた見開きの状態では、６面以上の表示面が現出されることとなるので、上記実施形態のように４面の表示面が現出される場合に比べてゴルフコースの表示面が見にくい状態となる。さらには、宣伝広告用カード４の宣伝広告表示面を最上部に現出させ、それ以外の面にゴルフコース表示カード２の表示面を現出させる場合に、折曲シートユニットを構成するカードの枚数が増えるにつれて、宣伝広告用カード４の宣伝広告表示面が減少することとなるので、その分、宣伝広告を利用させる企業の数や宣伝広告の種類も減少することとなり、宣伝広告する企業や宣伝広告の内容の選択の余地が狭められて、宣伝広告媒体としての利用価値も減少することとなる。これらの観点からは、２枚のカードで１枚の折曲シートユニットが構成されることが望ましい。
【００８７】
さらに、上記実施形態では、カード集積体１に具備されたそれぞれのカードが平面略長方形状に形成されていたが、カードの形状は該実施形態に限定されるものではなく、またカードの材質も該実施形態の紙に限定されない。
【００８８】
さらに、カード集積体１に具備されるゴルフコース表示カード２、ゴルフ場名表示カード３、宣伝広告用カード４、ゴルフ練習場表示カード１０の枚数も上記実施形態に限定されるものではなく、要は、ゴルフコース表示カード２は複数枚具備され、ゴルフ場名表示カード３と宣伝広告用カード４は、少なくとも１枚以上具備されていればよい。
【００８９】
また、これらゴルフコース表示カード２、ゴルフ場名表示カード３、宣伝広告用カード４、ゴルフ練習場表示カード１０等の配置順も上記実施形態に限定されるものではなく、任意に配置することができる。さらに、ゴルフ練習場表示カード１０を設けることは本考案に必須の条件ではない。
【００９０】
さらに、上記実施形態では、各カードの表裏両面に、各表示が表示されていたが、片面のみに表示されてカードが構成されていてもよい。尚、表示の手段は上記実施形態の印刷の手段に限らず、他の手段であってもよい。
【００９１】
その他の構成等は、本考案の意図する範囲内で設計変更可能である。
【図面の簡単な説明】
【００９２】
【図１】一実施形態のゴルフコースのカード集積体の概略正面図。
【図２】同概略背面図。
【図３】同カード集積体をジャバラ状に折り畳んだ状態の側面図。
【図４】ジャバラ状に折り畳んだカード集積体の正面図。
【図５】ホールナンバー２〜４のゴルフコース表示面が現出されるように折曲シートユニットを捲り上げる状態を示す概略側面図。
【図６】同概略正面図。
【図７】ホールナンバー５〜７のゴルフコース表示面が現出されるように折曲シートユニットを捲り上げる状態を示す概略側面図。
【図８】同概略正面図。
【図９】ホールナンバー８、９のゴルフコース表示面が現出されるように折曲シートユニットを捲り上げる状態を示す概略側面図。
【図１０】同概略正面図。
【図１１】ホールナンバー１０〜１２のゴルフコース表示面が現出されるように折曲シートユニットを捲り上げる状態を示す概略側面図。
【図１２】同概略正面図。
【図１３】ホールナンバー１３〜１５のゴルフコース表示面が現出されるように折曲シートユニットを捲り上げる状態を示す概略側面図。
【図１４】同概略正面図。
【図１５】ホールナンバー１６〜１８のゴルフコース表示面が現出されるように折曲シートユニットを捲り上げる状態を示す概略側面図。
【図１６】同概略正面図。
【図１７】ジャバラ状に折り畳んだカード集積体を包装用袋に収納した状態の概略正面図。
【図１８】同概略側面図。
【図１９】他実施形態のゴルフコースのカード集積体の概略正面図。
【図２０】同概略背面図。
【図２１】ゴルフコース表示面と宣伝広告表示面が現出されるように折曲シートユニットを捲り上げた状態を示す他実施形態の概略側面図。
【図２２】ゴルフコース表示面と宣伝広告表示面が現出されるように折曲シートユニットを捲り上げた状態を示す他実施形態の概略側面図。
【図２３】ゴルフコース表示面と宣伝広告表示面が現出されるように折曲シートユニットを捲り上げた状態を示す他実施形態の概略側面図。
【符号の説明】
【００９３】
１  ゴルフコースのカード集積体
２  ゴルフコース表示カード
３  ゴルフ場名表示カード
４  宣伝広告用カード
１０  ゴルフ練習場表示カード
１２ａ、１２ｂ、１２ｃ、１２ｄ、１２ｅ、１２ｆ  折曲シートユニット
【図１】
0003149001.tif 000003
【図２】
0003149001.tif 000004
【図３】
0003149001.tif 000005
【図４】
0003149001.tif 000006
【図５】
0003149001.tif 000007
【図６】
0003149001.tif 000008
【図７】
0003149001.tif 000009
【図８】
0003149001.tif 000010
【図９】
0003149001.tif 000011
【図１０】
0003149001.tif 000012
【図１１】
0003149001.tif 000013
【図１２】
0003149001.tif 000014
【図１３】
0003149001.tif 000015
【図１４】
0003149001.tif 000016
【図１５】
0003149001.tif 000017
【図１６】
0003149001.tif 000018
【図１７】
0003149001.tif 000019
【図１８】
0003149001.tif 000020
【図１９】
0003149001.tif 000021
【図２０】
0003149001.tif 000022
【図２１】
0003149001.tif 000023
【図２２】
0003149001.tif 000024
【図２３】
0003149001.tif 000025
【手続補正書】
【提出日】平成20年4月22日(2008.4.22)
【手続補正１】
【補正対象書類名】実用新案登録請求の範囲
【補正対象項目名】全文
【補正方法】変更
【補正の内容】
【実用新案登録請求の範囲】
【請求項１】
ゴルフ場のゴルフコースの図柄（５）が各ホール毎に表示されたゴルフコース表示面（２ａ）を有するゴルフコース表示カード（２）と、該ゴルフコース表示カード（２）のゴルフコース表示面（２ａ）に表示されたゴルフコースを所有するゴルフ場名を表示したゴルフ場名表示面（３ａ）を有するゴルフ場名表示カード（３）と、宣伝広告表示面（４ａ）を有する宣伝広告用カード（４）との各カードのうち、２枚のカードが連設されて１枚の折曲シートユニットが構成され、複数枚の折曲シートユニットが折曲部を介してジャバラ状に折り畳み可能に構成されていることを特徴とするゴルフコースのカード集積体。
【請求項２】
ジャバラ状に折り畳まれた状態の折曲シートユニットを捲り上げて展開した状態において、展開された２枚の折曲シートユニットのそれぞれに２枚ずつ具備されている計４枚のカードの４面の表示面が現出されるように構成されている請求項１記載のゴルフコースのカード集積体。
【請求項３】
展開された２枚の折曲シートユニットの４面の表示面のうち、最上部の表示面が宣伝広告表示面（４ａ）となり、他の３面の表示面がゴルフコース表示面（２ａ）となるように構成されている請求項２記載のゴルフコースのカード集積体。
【請求項４】
展開された２枚の折曲シートユニットの４面の表示面のうち、２面の表示面が宣伝広告表示面（４ａ）となるように構成されている請求項２記載のゴルフコースのカード集積体。
【請求項５】
複数の折曲シートユニットを捲り上げることによって、順次現出されるゴルフコース表示面（２ａ）が、ホールナンバー１〜１８の順に現出されるように構成されている請求項１乃至４のいずれかに記載のゴルフコースのカード集積体。
【請求項６】
ゴルフ場のゴルフコースの図柄（５）が各ホール毎に表示されたゴルフコース表示面（２ａ）を有するゴルフコース表示カード（２）と、該ゴルフコース表示カード（２）のゴルフコース表示面（２ａ）に表示されたゴルフコースを所有するゴルフ場名を表示したゴルフ場名表示面（３ａ）を有するゴルフ場名表示カード（３）と、宣伝広告表示面（４ａ）を有する宣伝広告用カード（４）との各カードのうち、１枚のカードによって１枚の折曲シートユニットが構成され、複数枚の折曲シートユニットが折曲部を介してジャバラ状に折り畳み可能に構成されていることを特徴とするゴルフコースのカード集積体。
【請求項７】
ゴルフ場のゴルフコースの図柄（５）が各ホール毎に表示されたゴルフコース表示面（２ａ）を有するゴルフコース表示カード（２）と、該ゴルフコース表示カード（２）のゴルフコース表示面（２ａ）に表示されたゴルフコースを所有するゴルフ場名を表示したゴルフ場名表示面（３ａ）を有するゴルフ場名表示カード（３）と、宣伝広告表示面（４ａ）を有する宣伝広告用カード（４）との各カードのうち、３枚以上のカードが連設されて１枚の折曲シートユニットが構成され、複数枚の折曲シートユニットが折曲部を介してジャバラ状に折り畳み可能に構成されていることを特徴とするゴルフコースのカード集積体。
【手続補正書】
【提出日】平成20年7月29日(2008.7.29)
【手続補正１】
【補正対象書類名】図面
【補正対象項目名】図２
【補正方法】変更
【補正の内容】
【図２】
0003149001.tif 000026
【手続補正２】
【補正対象書類名】図面
【補正対象項目名】図１６
【補正方法】変更
【補正の内容】
【図１６】
0003149001.tif 000027
【手続補正書】
【提出日】平成21年1月9日(2009.1.9)
【手続補正１】
【補正対象書類名】図面
【補正対象項目名】図１
【補正方法】変更
【補正の内容】
【図１】
0003149001.tif 000028
【手続補正２】
【補正対象書類名】図面
【補正対象項目名】図６
【補正方法】変更
【補正の内容】
【図６】
0003149001.tif 000029
【手続補正３】
【補正対象書類名】図面
【補正対象項目名】図２１
【補正方法】変更
【補正の内容】
【図２１】
0003149001.tif 000030
【手続補正４】
【補正対象書類名】図面
【補正対象項目名】図２２
【補正方法】変更
【補正の内容】
【図２２】
0003149001.tif 000031